(57)【要約】    【構成】  目地補修構造１０は、防水層１２および補修材層１４を含む。防水層１２は、硬質な素材からなり、目地部３２の上に、目地部３２の全長に亘って形成される。そして、補修材層１４は、弾性樹脂材からなり、防水層１２の上に、防水層１２の全長に亘って形成される。開水路３０の周辺部地面から目地部３２に、地下水などの浸入水が発生した場合においても、侵入水による圧力は防水層１２で低減され、補修材層１４の形状変化が防止され、開水路３０の流水抵抗は増加しない。      【効果】  開水路３０の利水機能の低下をもたらすことなく、目地部１２を補修できる。【選択図】  図１
2009013662.tif 000002
【特許請求の範囲】
【請求項１】
開水路の目地部を補修する目地補修構造であって、
前記目地部の上に形成される、かつ前記目地部の幅より大きな幅を有する防水層、および
前記防水層の上に形成される、かつ前記防水層の幅より大きな幅を有する補修材層を備える、目地補修構造。
【請求項２】
前記補修材層は、
前記防水層の上に形成される、かつ前記防水層の幅より大きな幅を有するプライマ層、
前記プライマ層の上に形成される、かつ前記防水層の幅より大きく、前記プライマ層の幅より小さな幅を有するコア層、および
前記コア層の上に形成される、かつ前記コア層の幅より大きな幅を有するコーティング層を含む、請求項１記載の目地補修構造。
【請求項３】
前記防水層と前記補修材層との間には、縁切り部材が設けられる、請求項１記載の目地補修構造。
【請求項４】
開水路の目地部を補修する目地補修方法であって、
（ａ）前記目地部の上に、前記目地部の幅より大きな幅を有する防水層を形成し、
（ｂ）前記防水層の上に、前記防水層の幅より大きな幅を有するプライマ層を形成し、
（ｃ）前記プライマ層の上に、前記防水層の幅より大きく、前記プライマ層の幅より小さな幅を有するコア層を形成し、そして、
（ｄ）前記コア層の上に、前記コア層の幅より大きな幅を有するコーティング層を形成する、目地補修方法。
【請求項５】
前記ステップ（ｃ）で前記コア層を形成する際に、当該コア層の塗り厚を一定にするために、所定部分の高さが所望するコア層の塗り厚に相当する治具を用いる、請求項４記載の目地補修方法。
【発明の詳細な説明】
【技術分野】
【０００１】
この発明は、目地補修構造および目地補修方法に関し、特にたとえば、開水路の目地部を補修する、目地補修構造および目地補修方法に関する。
【背景技術】
【０００２】
従来のこの種の目地補修構造の一例が、特許文献１に開示されている。特許文献１の技術では、農業用開水路の目地部に施工される充填材を、弾性樹脂材によって被覆することで、目地部の破損を防止するとともに、目地部の経年変化を防止している。また、弾性樹脂材の内部に低伸縮性のメッシュ状のシート材を配することで目地補修構造を強化している。
【特許文献１】特開２００１−２７１３２６号公報
【発明の開示】
【発明が解決しようとする課題】
【０００３】
特許文献１の技術では、開水路の周辺部土壌から目地部に、地下水などの浸入水が発生した場合に、充填材を被覆する弾性樹脂材が、浸入水による圧力を直接うけてしまう。弾性樹脂材は伸縮性を有し、特に、施工中或いは施工直後の乾燥前の弾性樹脂材は柔らかいので、侵入水による圧力をうけると膨れるなど、弾性樹脂材の形状が変化する。つまり、目地部に凹凸が生じ、開水路の流水抵抗は増加してしまう。また、開水路に流入した土砂等が目地部の凹凸に蓄積しやすくなるという弊害も生じる。したがって特許文献１の技術では、開水路の利水機能の低下をもたらす。
【０００４】
それゆえに、この発明の主たる目的は、開水路の利水機能の低下をもたらすことのない、目地補修構造および目地補修方法を提供することである。
【課題を解決するための手段】
【０００５】
請求項１の発明は、開水路の目地部を補修する目地補修構造であって、目地部の上に形成される、かつ目地部の幅より大きな幅を有する防水層、および防水層の上に形成される、かつ防水層の幅より大きな幅を有する補修材層を備える、目地補修構造である。
【０００６】
請求項１の発明では、既設の開水路（３０：実施例において相当する部分を例示する参照符号。以下同じ。）の目地部（３２）の上に、目地部の幅より大きな幅を有し、硬質な素材からなる防水層（１２）が形成される。防水層の上には、防水層の幅より大きな幅を有する、補修材層（１４）が形成される。補修材層の下に、防水層を設けることで、開水路の周辺部土壌から目地部に、地下水などの浸入水が発生した場合においても、侵入水による圧力は防水層で低減され、補修材層の形状変化が防止される。つまり、目地部には凹凸が生じないので、開水路の流水抵抗は増加しない。
【０００７】
請求項１の発明によれば、開水路の利水機能の低下をもたらすことなく目地部を補修できる。
【０００８】
請求項２の発明は、請求項１の発明に従属し、補修材層は、防水層の上に形成される、かつ防水層の幅より大きな幅を有するプライマ層、プライマ層の上に形成される、かつ防水層の幅より大きく、プライマ層の幅より小さな幅を有するコア層、およびコア層の上に形成される、かつコア層の幅より大きな幅を有するコーティング層を含む。
【０００９】
請求項２の発明では、補修材層（１４）は、プライマ層（１６）、コア層（１８）およびコーティング層（２０）を含む。プライマ層は、接着性を有し、防水層（１２）の幅より大きな幅を有し、防水層の上に形成される。コア層は、弾性樹脂材からなり、防水層の幅より大きく、プライマ層の幅より小さな幅を有し、プライマ層の上に形成される。コーティング層は、弾性樹脂材からなり、コア層の幅より大きな幅を有し、コア層の上に形成される。
【００１０】
請求項２の発明によれば、プライマ層は、防水層とコア層との付着強度、および、コア層或いはコーティング層と開水路との付着強度を高める。また、コーティング層２０は、補修材層１４の外表面を整え、外観をよくする。
【００１１】
請求項３の発明は、請求項１の発明に従属し、防水層と補修材層との間には、縁切り部材が設けられる。
【００１２】
請求項３の発明では、防水層（１２）と補修材層（１４）との間に、マスキングテープ等からなる縁切り部材（２２）が設けられる。縁切り部材によって、防水層と補修材層とは縁切りされるため、開水路（３０）の伸縮や屈曲によって生じる引張力を、縁切り部材を覆っている補修材層の範囲全体で吸収することができる。
【００１３】
請求項３の発明によれば、引張力に対する補修材層の負担は軽減される。
【００１４】
請求項４の発明は、開水路の目地部を補修する目地補修方法であって、（ａ）目地部の上に、目地部の幅より大きな幅を有する防水層を形成し、（ｂ）防水層の上に、防水層の幅より大きな幅を有するプライマ層を形成し、（ｃ）プライマ層の上に、防水層の幅より大きく、プライマ層の幅より小さな幅を有するコア層を形成し、そして、（ｄ）前記コア層の上に、前記コア層の幅より大きな幅を有するコーティング層を形成する、目地補修方法である。
【００１５】
請求項４の発明では、ステップ（ａ）において、開水路（３０）の目地部（３２）の上に、硬質な素材からなる防水層（１２）を、目地部の幅より大きな幅で形成する。ステップ（ｂ）において、防水層の上に、接着性のプライマ層（１６）を防水層の幅より大きな幅で形成する。ステップ（ｃ）において、プライマ層の上に、弾性樹脂材からなるコア層（１８）を、防水層の幅より大きく、プライマ層の幅より小さな幅で形成する。ステップ（ｄ）において、コア層の上に、弾性樹脂材からなるコーティング層（２０）を、コア層の幅より大きな幅で形成する。
【００１６】
請求項４の発明によれば、請求項２と同様の作用効果を示す。
【００１７】
請求項５の発明は、請求項４の発明に従属し、ステップ（ｃ）でコア層を形成する際に、コア層の塗り厚を一定にするために、所定部分の高さが所望するコア層の塗り厚に相当する治具を用いる。
【００１８】
請求項５の発明では、プライマ層（１６）の上にコア層（１８）を形成する際に、所定部分の高さが所望するコア層の塗り厚に相当する治具（４０，４２，４４）を用いる。たとえば、治具（４０，４２）は、所望するコア層の塗り厚に相当する高さの板状に形成される。この治具を用いてコア層を形成する際には、先ず、２つの治具を所望するコア層の幅に相当する間隔で設置する。そして、２つの治具の間にコア層を形成する弾性樹脂材を充填し、その間を均す。すると、治具の高さに相当する厚み、また、治具の設置した間隔に相当する幅のコア層を形成することができる。また、たとえば、治具（４４）はヘラ状に形成される。治具の本体部（４４ａ）の下端には、所望するコア層の断面形状に合わせて切り欠かれた調節部（４４ｃ）が形成され、その調節部の形成する空間が所定部分にあたる。この治具を用いてコア層を形成する際には、先ず、大まかな形状に塗布した弾性樹脂材に、調節部をあてがう。そして、目地部（３２）に沿って治具を滑らし、弾性樹脂材を整える。すると、調節部の形状に相当する厚さおよび幅を有する、コア層を形成することができる。
【００１９】
請求項５の発明によれば、所望する厚さおよび幅を有する、コア層を簡単に設けることができる。
【発明の効果】
【００２０】
この発明によれば、開水路における利水機能の低下をもたらすことなく目地部を補修できる。
【００２１】
この発明の上述の目的，その他の目的，特徴および利点は、図面を参照して行う以下の実施例の詳細な説明から一層明らかとなろう。
【発明を実施するための最良の形態】
【００２２】
図１を参照して、この発明の一実施例の目地補修構造１０は、防水層１２および補修材層１４を含み、既設の開水路３０の目地部３２を補修する。開水路３０は、図２に示すように、たとえば農業用開水路であって、Ｕ字型のコンクリートトラフを連ねて構成される。このコンクリートトラフの接合部分が目地部３２である。目地部３２は凹型に形成され、目地部１２にはモルタル等の充填材３４が凹型の形状を埋めるように施工されている。目地部３２の幅は、たとえば２０ｍｍである。
【００２３】
防水層１２は、目地部３２の上に、目地部３２の全長に亘って形成される。防水層１２は、侵入水の水圧によって変形しない硬さ、および水密性を有する素材、たとえばモルタルに急結剤（たとえば株式会社マノール製）を添加した止水モルタルによって形成される。防水層１２の厚みは、たとえば２〜５ｍｍである。また、防水層１２の幅は、たとえば３０ｍｍであり、目地部３２の幅より大きな幅を有する。つまり、防水層１２は目地部３２の全体を覆うように形成され、目地部３２のどの部分に地下水などの浸入水が発生した場合においても、その浸入水を防ぐことができる。
【００２４】
補修材層１４は、防水層１２の幅より大きな幅を有し、防水層１２の上に、防水層１２の全長に亘って形成される。したがって、補修材層１４も、目地部３２の全体を覆う。補修材層１４は、プライマ層１６、コア層１８およびコーティング層２０を含み、アクリル系共重合体等の耐候性材によって形成される。
【００２５】
プライマ層１６は、防水層１２とコア層１８との付着強度、ならびに、コア層１８およびコーティング層２０と開水路３０との付着強度を高めるためのものであり、たとえばアクリル系共重合体ラテックスで形成される。プライマ層１６の幅は、たとえば１００ｍｍであり、防水層１２の幅より大きな幅を有する。つまり、プライマ層１６は防水層１２の全体を覆うように形成され、補修材層１４と防水層１２との一体性を高めている。
【００２６】
コア層１８は、プライマ層１６の上に形成され、伸縮性および可とう性を有する弾性樹脂材によって形成される。弾性樹脂材には、たとえば、アクリル系共重合体ラテックスの主剤とセメントおよび硅砂等の骨材とを混和した特殊樹脂モルタルを用いる。コア層１８の厚みは、たとえば３〜５ｍｍである。また、コア層１８の幅は、たとえば６０〜７０ｍｍであり、防水層１２の幅より大きく、プライマ層１６の幅より小さな幅を有する。つまり、コア層は、目地部３２の全体を覆うように形成される。
【００２７】
コーティング層２０は、補修材層１４の外表面を整えるためのものであり、コア層１８の上に形成される。コーティング層２０は、弾性樹脂材によって形成される。この実施例では、コア層１８と同様の特殊樹脂モルタルを用いるが、流動性を向上させるために、特殊樹脂モルタルに水を加えて希釈してもよい。コーティング層２０の厚みは、たとえば１ｍｍである。また、コーティング層２０の幅は、たとえば８０ｍｍであり、コア層１８の幅より大きな幅を有する。つまり、コーティング層２０は、コア層１８の全体を覆うように形成される。
【００２８】
図３−図５を参照して、このような目地補修構造１０を開水路３０の目地部３２に形成する方法を以下に示す。
【００２９】
先ず、既設の開水路３０の洗浄作業を行う。具体的には、高圧洗浄機などを用いて、開水路３０に蓄積している土砂や苔などを除去する。そして、スポンジ等を用いて、洗浄作業に用いた洗浄水などの開水路３０内の水を適宜除去する。
【００３０】
次に、図３に示すように、目地部３２の上に防水層１２を形成する。具体的には、左官こてやゴムベラなどを用いて、目地部３２の充填材３４上に止水モルタルを塗りつける。これによって、防水層１２が形成されると共に、充填材３４の亀裂や破損部にも止水モルタルが充填され、目地部３２が修復される。
【００３１】
続いて、図４に示すように、防水層１２の上にプライマ層１６を形成する。具体的には、ブラシなどを用いて、防水層１２の上にアクリル系共重合体ラテックス等を薄く塗布する。
【００３２】
次に、図５に示すように、プライマ層１６の上に、ゴムベラや刷毛などを用いて、コア層１８を形成する。コア層１８を形成する際には、塗り厚を一定にするための治具４０を用いることもある。
【００３３】
図６および図７に示すように、治具４０は板状に形成され、その断面形状は、たとえば長方形である。治具４０の高さは、所望するコア層１８の塗り厚に相当するように、適宜設定される。治具４０を用いてコア層１８を形成する際には、先ず、２つの治具４０を、目地部３２を中心にして、所望するコア層１８の幅に相当する間隔で設置する。そして、２つの治具４０の間に特殊樹脂モルタルを充填し、ゴムベラなどを治具４０の上面に沿わせて滑らせ、特殊樹脂モルタルを均す。すると、治具の高さに相当する厚み、治具４０の設置した間隔に相当する幅のコア層１８が形成される。これにより、高度な施工技術を必要とすることなく、所望する厚さと幅を有する、コア層１８を簡単に設けることができる。
【００３４】
コア層１８を形成すると、次に、コア層１８の上に、コーティング層２０を形成する（図１参照）。具体的には、ブラシなどを用いて、コア層１８の上に特殊樹脂モルタルを薄く上塗りし、コア層１８の外表面を整える。
【００３５】
このように、目地補修構造１０では、補修材層１４の下に硬質な素材からなる防水層１２が形成される。よって、開水路３０の周辺部土壌から目地部３２に、地下水などの浸入水が発生した場合においても、侵入水による圧力は防水層１２で低減され、補修材層１４の形状変化が防止される。つまり、目地部３２には凹凸が生じないので、開水路３０の流水抵抗は増加しない。したがって、開水路３０の利水機能の低下をもたらすことなく、目地部３２を補修できる。
【００３６】
また、目地補修構造１０は、既存の充填材３４の上にそのまま形成できるので、充填材を除去する作業の手間を省くことができる。
【００３７】
さらに、補修材層１４に用いた弾性樹脂材は、可とう性および伸縮性を有するため、温度変化による開水路３０の伸縮や屈曲に追従することができるので、目地部３２の亀裂や剥離を防止できる。これにより、水密性に優れた開水路３０を長期にわたって維持することができる。
【００３８】
さらにまた、補修材層１４を形成するアクリル系共重合体は耐候性を有しているため、目地部３２の紫外線による劣化が抑制され、開水路３０の耐用年数を長くすることができる。
【００３９】
図９に示すこの発明の他の実施例である目地補修構造１０は、防水層１２と補修材層１４との間に縁切り部材２２が設けられる。以下、図１に示す目地補修構造１０と同様である部分に関しては、詳細な説明は省略する。
【００４０】
縁切り部材２２は、マスキングテープ等によって、防水層１２と補修材層１４との間に設けられる。縁切り部材２２の幅はたとえば５０ｍｍであり、防水層１２の幅より大きな幅を有する。つまり、縁切り部材２２は、防水層１２を覆うように設けられ、防水層１２と補修材層１４とをしっかりと縁切りしている。
【００４１】
補修材層１４は、プライマ層１６、コア層１８およびコーティング層２０を含む。プライマ層１６は、縁切り部材２２の両外側に形成される。たとえば、プライマ層１６の幅はそれぞれ２５ｍｍであり、その外側端は、コア層１８およびコーティング層２０と開水路３０との付着強度を高めるため、コーティング層２０の端よりも外側までのびている。コア層１８は、縁切り部材２２およびプライマ層１６の上に形成され、縁切り部材２２の幅より大きな幅を有する。コア層１８は、縁切り部材２２の全長に亘って、縁切り部材２２を覆うように設けられる。
【００４２】
このように、図９に示す実施例では、防水層１２と補修材層１４との間に、縁切り部材２２が設けられるため、防水層１２と補修材層１４とが縁切りされ、開水路３０の伸縮や屈曲によって生じる引張力は、補修材層１４の中心部分、すなわちコア層１８に集中せず、補修材層１４の、縁切り部材２２を覆っている範囲全体に拡散する。したがって、補修材層１４はより広い範囲で引張力を吸収することができ、引張力に対する補修材層１４の負担は軽減される。
【００４３】
なお、上述の各実施例では、防水層１２を形成する硬質な素材として止水モルタルを用いたが、これに限定されず、たとえばＰＥＴやポリプロピレン等の合成樹脂材によって形成される、樹脂パネルを用いてもよい。樹脂パネルは、目地部３２の幅より大きな幅を有する板状に形成され、その厚さは、たとえば１〜２ｍｍである。樹脂パネルを用いる場合には、たとえばエポキシ樹脂等の水密性の接着剤を用いて、目地部３２の上に接着する。また、塩化ビニル等の防水性粘着テープを用いることもできる。防水性粘着テープは、目地部３２より大きい幅を有しており、厚さは、たとえば１ｍｍである。樹脂パネルおよび防水テープは、止水モルタルと比較して割れにくいので、その厚みを薄くして形成することができる。ただし、浸入水による圧力をうけても変形しない硬さを有する厚みが必要である。
【００４４】
また、上述の各実施例では、補修材層１４を、プライマ層１６、コア層１８およびコーティング層２０の３層で形成したが、これに限定されず、１層および２層でも形成することができる。たとえば、コア層１８を形成する弾性樹脂と開水路或いは防水層１２との付着強度が高ければ、プライマ層１６は設けなくてもよい。また、コア層１８の外表面の外観が整えば、コーティング層２０は設けなくてもよい。
【００４５】
なお、上述の各実施例では、耐候性を有するアクリル系共重合体によって補修材層１４を形成したが、これに限定されない。たとえば、紫外線を直接うけるのは、目地補修構造１０の外表面であるコーティング層２０であるため、少なくともコーティング層２０が耐候性材によって形成されていれば、プライマ層１６およびコア層１８は他の成分によって形成されていてもよい。また、補修材層１４を形成するアクリル系共重合体に、紫外線吸収剤等を添加することによって、耐候性をさらに向上させることもできる。
【００４６】
また、上述の各実施例では、目地補修構造１０は、既設の開水路３０の目地部３２を補修したが、これに限定されず、新設する開水路の目地部の補強構造としても適用できる。この場合には、亀裂が生じにくい樹脂パネルまたは防水性粘着テープによって防水層１２を形成するとよい。目地部をあらかじめ補強することで、新設する開水路の耐用年数を長くすることができる。
【００４７】
さらに、上述の各実施例では、コア層１８を形成する際に、図６および図７に示す治具４０を用いたが、治具４０の形状はこれに限定されない。たとえば、図９に示す治具４２を用いることもできる。治具４２の断面形状は、上辺が下辺より長い台形であり、コア層１８に接する治具４２の側面は治具４２の下部内側に向けて傾斜している。このような治具４２を用いることによって、コア層１８をなめらかに形成することができる。
【００４８】
また、図１０に示す、治具４４を用いてコア層１８を形成することもできる。治具４４は、たとえば、鉄などの金属によって形成され、ヘラの形状を有する。治具４４は、本体部４４ａおよび柄部４４ｂを含む。本体部４４ａは、たとえば、長方形の板状に形成され、その上端は中心に向かって傾斜して、その中心から柄部４４ｂが突出している。また、本体部４４ａの下端には、コア層１８の所望の断面形状に合わせて切り欠かれた、調節部４４ｃが形成される。調節部４４ｃの形成する空間の高さは、所望するコア層１８の塗り厚に相当するように、適宜設定される。
【００４９】
このような治具４４を用いてコア層１８を形成する際には、図１１に示すように、先ず、コア層１８を形成する特殊樹脂モルタルを、たとえば、ゴムベラなどを用いて、大まかに所望する形状になるように塗布する。そして、治具４４を、調節部４４ｃを嵌め込むように、特殊樹脂モルタルにあてがい、目地部３２に沿って治具４４を滑らし、特殊樹脂モルタルを均す。すると、塗布した特殊樹脂モルタルの断面は、調節部４４ｃの形成する空間の形状に合わせて整えられる。このようにして、コア層１８を形成することにより、コア層１８を所望の断面形状に仕上げることができる。
【００５０】
また、図１２に示すように、治具４４に固定部材４６を設けることもできる。固定部材４６は、たとえば、三角形の板状に形成され、本体部４４ａ下端の両外側に１つずつ設けられる。固定部材４６を開水路３０の表面に接触させて、治具４４を用いると、開水路３０の表面と治具４４との接する角度を一定にした状態で滑らすことができるため、コア層１８の厚みは変化しない。
【００５１】
なお、治具４０，４２，４４は、コア層１８を形成する際に用いるだけではなく、たとえば、止水モルタルによって形成される防水層１２を形成する際に用いることもできる。
【図面の簡単な説明】
【００５２】
【図１】この発明の一実施例の目地補修構造を開水路の目地部に形成した様子を示す断面図である。
【図２】開水路の外観を示す斜視図である。
【図３】図２の開水路の目地部に防水層を配した状態を示す断面図である。
【図４】図３の開水路にさらにプライマ層を配した状態を示す断面図である。
【図５】図４の開水路にさらにコア層を配した状態を示す断面図である。
【図６】コア層を形成する際に用いる治具を開水路に設置した様子を示す断面図である。
【図７】コア層を形成する際に用いる治具を開水路に設置した様子を示す斜視図である。
【図８】コア層を形成する際に用いる他の治具を開水路に設置した様子を示す断面図である。
【図９】この発明の他の実施例の目地補修構造を開水路の目地部に形成した様子を示す断面図である。
【図１０】（Ａ）はコア層を形成する際に用いる他の治具の正面を示す平面図であり、（Ｂ）はその側面を示す平面図である。
【図１１】図１０に示す治具を用いてコア層を形成する様子を示す斜視図である。
【図１２】（Ａ）は図１０に示す治具に固定部材を設けた様子の正面を示す平面図であり、（Ｂ）はその側面を示す平面図である。
【符号の説明】
【００５３】
１０  目地補修構造
１２  防水層
１４  補修材層
１６，２４  プライマ層
１８  コア層
２０  コーティング層
２２  縁切り層
３０  開水路
３２  目地部
３４  充填材
４０，４２，４４  治具
【図１】
2009013662.tif 000003
【図２】
2009013662.tif 000004
【図３】
2009013662.tif 000005
【図４】
2009013662.tif 000006
【図５】
2009013662.tif 000007
【図６】
2009013662.tif 000008
【図７】
2009013662.tif 000009
【図８】
2009013662.tif 000010
【図９】
2009013662.tif 000011
【図１０】
2009013662.tif 000012
【図１１】
2009013662.tif 000013
【図１２】
2009013662.tif 000014